(57)【要約】【課題】従来の手乾燥装置は手乾燥室から最も早く抜き出す部分である手首や手のひらの乾燥不十分が発生してしまうことがあり、乾燥ムラをなくすことができる手乾燥装置を提供することを目的としている。【解決手段】最も上部に備えた上部のノズル５ａと最も下部に備えた下部のノズル５ｂの間隔を少なくとも１０ｃｍに設けることで、手首や手のひらと指先の乾燥を同時に行うことで乾燥ムラをなくし、更に複数のノズルからの送風を使用過程で調整することで、使用時のトータル電力を減らすことができる手乾燥装置が得られる。【選択図】図１
2011087837.tif 000002
【特許請求の範囲】
【請求項１】
装置の外郭を成す本体と、この箱体に設けられて前記箱体の上部に開口した手乾燥室と、前記手乾燥室に設けられて手乾燥室への手の挿入を検出する手検出手段と、前記箱体に設けられて高圧気流を発生する高圧気流発生装置と、前記手乾燥室に挿入された手のひらと手の甲にそれぞれ対向する手前側と奥側の２面にそれぞれ配置されて前記高圧気流発生装置の送気路に連通したノズルとを備えた手乾燥装置であって、前記ノズルを上下方向に複数備え、最も上方と最も下方に配置するノズルの間隔が少なくとも１０ｃｍとなることを特徴とする手乾燥装置。
【請求項２】
前記ノズルのうち、上方に備えられたものを下側に向けて吹出すようにノズルを配置することを特徴とする、請求項１記載の手乾燥装置。
【請求項３】
上方に備えられた前記ノズルのうち、下側に向ける角度を、手前側と奥側で異なる角度になるように備えることを特徴とする、請求項２記載の手乾燥装置。
【請求項４】
前記手検出手段を、前記ノズルのうち上方に備えられたものよりも下側に備えることを特徴とする請求項１記載の手乾燥装置。
【請求項５】
前記高圧気流発生装置を複数備え、前記高圧急発生装置を各々独立した送気路を通って各々のノズルに連通することを特徴とする、請求項１記載の手乾燥装置。
【請求項６】
前記高圧気流発生装置が駆動後の一定時間経過後に、下方のノズルに繋がる前記高圧気流発生装置の風量を落とし、下方から送風する風速を落とすようにすることを特徴とした請求項５記載の手乾燥装置。
【請求項７】
前記高圧気流発生装置が上方に備えられたものよりも下側に備える前記手検知検出手段の検知を外れることで、下方のノズルに繋がる前記高圧気流発生装置の風量を落とし、下方から送風する風速を落とすようにすることを特徴とした請求項５記載の手乾燥装置。
【請求項８】
前記複数の高圧気流発生装置の風量を変えて、前記の複数のノズルから送風する風速をノズルごとに変えることを特徴とする、請求項５記載の手乾燥装置。
【請求項９】
前記送気路に上方のノズルと下方のノズルへの送風量を変えるために風量分配手段を備え、前記風量分配手段によってノズルから送風する風量をノズルごとに変えることを特徴とした請求項１記載の手乾燥装置。
【請求項１０】
前記高圧気流発生装置が駆動後の一定時間経過後に、前記風量分配手段によって上方のノズルから送風する風量を上げるようにすることを特徴とした請求項７記載の手乾燥装置。
【請求項１１】
前記高圧気流発生装置が上方に備えられたものよりも下側に備える前記手検知検出手段の検知を外れることで、前記風量分配手段によって上方のノズルから送風する風量を上げるようにすることを特徴とした請求項７記載の手乾燥装置。
【請求項１２】
前記高圧気流発生装置が駆動後の一定時間経過後に、前記風量分配手段によって下方のノズルからの送風を止めることを特徴とした請求項７記載の手乾燥装置。
【請求項１３】
使用者に手を乾燥室から引き出し始めることを喚起するための表示手段を備え、下方のノズルからの送風を止める際に表示することを特徴とした請求項９記載の手乾燥装置。
【発明の詳細な説明】
【技術分野】
【０００１】
本発明は、洗面所やトイレ等で手を洗い、濡れた手を乾燥させる手乾燥装置に関する。
【背景技術】
【０００２】
従来の手乾燥装置は、乾燥室に手を入れたことを検知して。高圧空気発生部から高圧空気を送風して、手の乾燥を行なっていた。複数のノズルが一箇所の領域にかためられており、主に一つの領域の乾燥をしていた（例えば、特許文献１参照）。
【０００３】
以下、その構成を図８および図９を用いて説明する。箱体の正面及び側面に開口し、手を収納できる広さを有する手乾燥室１０１に箱体に設けられた高速空気流を発生する高圧空気発生装置１０２により手挿入のお互いに対向した上下面にそれぞれは位置されたノズル１０３から高速空気流を噴出させる構成の手乾燥装置１０４であって、そのノズル１０３の少なくとも上側のノズルの空気吹出し部を、手挿入部における左右方向に並ぶ第１のノズル穴列１０５と、この第１のノズル穴列１０５より手挿入部の入り口側に配設された第２のノズル穴列１０６とにより構成する。そして、第１のノズル穴列１０５および１０６から手乾燥室に侵入した手に向けて送風することで付着した水を飛ばして乾燥させるものであった。
【先行技術文献】
【特許文献】
【０００４】
【特許文献１】特開平７−１３６０７８号公報
【発明の概要】
【発明が解決しようとする課題】
【０００５】
このような従来の手乾燥装置では、ノズルからの送風による乾燥が手首から手のひら、指先の順に乾燥をするため、最も早く乾燥室から抜き出す手首や手のひらの乾燥が不十分になることがあった。
【０００６】
本発明は、上記従来の課題を解決するのもで、使用者の乾燥感を満足させながら、乾燥運転時の電力消費の低減をすることができる手乾燥装置を提供することを目的とする。
【課題を解決するための手段】
【０００７】
本発明の手検知乾燥装置は上記目的を達成するために、装置の外郭を成す本体と、この箱体に設けられて前記箱体の上部に開口した手乾燥室と、前記手乾燥室に設けられて手乾燥室への手の挿入を検出する手検出手段と、前記箱体に設けられて高圧気流を発生する高圧気流発生装置と、前記手乾燥室に挿入された手のひらと手の甲にそれぞれ対向する手前側と奥側の２面にそれぞれ配置されて前記高圧気流発生装置の送気路に連通したノズルとを備えた手乾燥装置であって、前記ノズルを上下方向に複数備え、最も上方と最も下方に配置するノズルの間隔が少なくとも１０ｃｍとなるものであり、所期の目的を達成するものである。
【発明の効果】
【０００８】
本発明によれば、装置の外郭を成す本体と、この箱体に設けられて前記箱体の上部に開口した手乾燥室と、前記手乾燥室に設けられて手乾燥室への手の挿入を検出する手検出手段と、前記箱体に設けられて高圧気流を発生する高圧気流発生装置と、前記手乾燥室挿入された手のひらと手の甲にそれぞれ対向する手前側と奥側の２面にそれぞれ配置されて前記高圧気流発生装置の送気路に連通したノズルとを備えた手乾燥装置であって、前記ノズルを上下方向に複数備え、最も上方と最も下方に配置するノズルの間隔が少なくとも１０ｃｍとなるものであり指先から手首までの間の乾燥ムラを無くすことができるとともに、乾燥時間の短縮や乾燥手段の効率化による過剰な電力消費を抑えて使用電力を下げることができるという効果を奏する。
【図面の簡単な説明】
【０００９】
【図１】本発明の実施の形態１の手乾燥装置の構成を示す断面図
【図２】本発明の実施の形態１の手乾燥装置の構成を示す断面図
【図３】本発明の実施の形態１の手乾燥装置の構成を示す断面図
【図４】本発明の実施の形態２の手乾燥装置の構成を示す断面図
【図５】本発明の実施の形態３の手乾燥装置の構成を示す断面図
【図６】本発明の実施の形態４の手乾燥装置の構成を示す断面図
【図７】本発明の実施の形態５の手乾燥装置の構成を示す断面図
【図８】従来の手乾燥装置の構成を示す詳細斜視図
【図９】従来の手乾燥装置のノズルの構成を示す詳細斜視図
【発明を実施するための形態】
【００１０】
本発明の請求項１の発明は、装置の外郭を成す本体と、この箱体に設けられて前記箱体の上部に開口した手乾燥室と、前記手乾燥室に設けられて手乾燥室への手の挿入を検出する手検出手段と、前記箱体に設けられて高圧気流を発生する高圧気流発生装置と、前記手乾燥室に挿入された手のひらと手の甲にそれぞれ対向する手前側と奥側の２面にそれぞれ配置されて前記高圧気流発生装置の送気路に連通したノズルとを備えた手乾燥装置であって、前記ノズルを上下方向に複数備え、最も上方と最も下方に配置するノズルの間隔が少なくとも１０ｃｍとなるという構成を有する。
【００１１】
これにより、指先と手首や手のひらへの送風を上下方向に配置した複数のノズルから同時にすることができ、手首や手のひらに対しても十分な時間乾燥をすることができ、指先から手首までの間の乾燥ムラを少なくすることができるという効果を奏する。
【００１２】
本発明の請求項２の発明は、前記ノズルのうち、上方に備えられたものを下側に向けて吹出すようにノズルを配置することを特徴とする。
【００１３】
これにより、手首に付着した水を下側に流して乾燥室内に移動させることで乾燥することができ、手首付近の乾燥ムラを無くすことができることができるという効果を奏する。
【００１４】
本発明の請求項３の発明は、上方に備えられた前記ノズルのうち、下側に向ける角度を、手前側と奥側で異なる角度になるように備えることを特徴とする。
【００１５】
これにより、指先と手首や手のひらへの送風を上下方向に配置した複数のノズルから同時にすることができ、手首や手のひらに対しても十分な時間乾燥をすることができ、指先から手首までの間の乾燥ムラを少なくすることができるという効果を奏する。
【００１６】
本発明の請求項４の発明は、前記手検出手段を、前記ノズルのうち上方に備えられたものよりも下側に備えることを特徴としたものである。
【００１７】
これにより、下方のノズルに到達して乾燥をすることを促進することができ、乾燥時間の短縮をすることができるという効果を奏する。
【００１８】
本発明の請求項５の発明は、前記高圧気流発生装置を複数備え、前記高圧急発生装置を各々独立した送気路を通って各々のノズルに連通することを特徴とするものである。
【００１９】
これにより、高圧気流発生装置からノズルまでの距離による送風速度の差がなくなり、ノズルから送風される風速のばらつきを抑えることができ、乾燥時間の短縮をすることができるという効果を奏する。
【００２０】
本発明の請求項６の発明は、前記高圧気流発生装置が駆動後の一定時間経過後に、下方のノズルに繋がる前記高圧気流発生装置の風量を落とし、下方から送風する風速を落とすようにすることを特徴とする。
【００２１】
これにより、手乾燥の後半は上方のノズルからの送風を主として下方からの送風を抑えることによって省エネとなるという効果を奏する。
【００２２】
本発明の請求項７の発明は、前記高圧気流発生装置が上方に備えられたものよりも下側に備える前記手検知検出手段の検知を外れることで、下方のノズルに繋がる前記高圧気流発生装置の風量を落とし、下方から送風する風速を落とすようにすることを特徴とする。
【００２３】
これにより、手乾燥の後半は上方のノズルからの送風を主として下方からの送風を抑えることによって省エネとなるという効果を奏する。
【００２４】
本発明の請求項８の発明は、前記複数の高圧気流発生装置の風量を変えて、前記の複数のノズルから送風する風速をノズルごとに変えることを特徴とする。
【００２５】
これにより、下方のノズルから送風される風量に対して、上方のノズルから送風される風量を速くして、乾燥性能を上げることで手首付近の乾燥ムラを無くすことができるという効果を奏する。
【００２６】
本発明の請求項９の発明は、前記送気路に上方のノズルと下方のノズルへの送風量を変えるために風量分配手段を備え、前記風量分配手段によってノズルから送風する風量をノズルごとに変えることを特徴とする。
【００２７】
これにより、下方のノズルから送風される風量に対して、上方のノズルから送風される風量を速くして、乾燥性能を上げることで手首付近の乾燥ムラを無くすことができるという効果を奏する。
【００２８】
本発明の請求項１０の発明は、前記高圧気流発生装置が駆動後の一定時間経過後に、前記風量分配手段によって上方のノズルから送風する風量を上げるようにすることを特徴とする。
【００２９】
これにより、手乾燥の後半は上方のノズルからの送風を主として下方からの送風を抑えることによって省エネとなるという効果を奏する。
【００３０】
本発明の請求項１１の発明は、前記高圧気流発生装置が上方に備えられたものよりも下側に備える前記手検知検出手段の検知を外れることで、前記風量分配手段によって上方のノズルから送風する風量を上げるようにすることを特徴とする。
【００３１】
これにより、手乾燥の後半は上方のノズルからの送風を主として下方からの送風を抑えることによって省エネとなるという効果を奏する。
【００３２】
本発明の請求項１２の発明は、前記高圧気流発生装置が駆動後の一定時間経過後に、前記風量分配手段によって下方のノズルからの送風を止めることを特徴とする。
【００３３】
これにより、手乾燥の後半は上方のノズルからの送風を主として下方からの送風を抑えることによって省エネとなるという効果を奏する。
【００３４】
本発明の請求項１３の発明は、使用者に手を乾燥室から引き出し始めることを喚起するための表示手段を備え、下方のノズルからの送風を止める際に表示することを特徴とする。
【００３５】
これにより、下方のノズルからの送風が止まることを使用者に促すことができ、仕様の誤認識防止をすることができるという効果を奏する。
【００３６】
以下、本発明の実施の形態について図面を参照しながら説明する。
【００３７】
（実施の形態１）
図１に示すように、装置の外郭を成す本体１と、この箱体に設けられて箱体の上部に開口した手乾燥室２と、手乾燥室２に設けられて手乾燥室２への手の挿入を検出する手検出手段としての赤外線センサー３と、箱体に設けられて高圧気流を発生する高圧気流発生装置４と、手乾燥室２に挿入された手の平と手の甲にそれぞれ対向する手前側と奥側の２面にそれぞれ配置されて高圧気流発生装置４の送気路に連通したノズル５と、赤外線センサー３からの信号を入力することで高圧気流発生装置４を駆動するマイコン６を備えた手乾燥装置であって、ノズル５を上下方向に複数備え、最も上方と最も下方に配置するノズル５の間隔が１０〜２０ｃｍとなるという構成とする。つまり、最も上方と最も下方に配置するノズル５の間隔を少なくとも１０ｃｍとするものである。
【００３８】
上記構成において、手乾燥室２に使用者が手を入れることで赤外線センサー３は手が手乾燥室２内に侵入されたことを検知し、マイコン６へ信号を送る。マイコン６は手が手乾燥室２内に侵入したことを確認後、高圧気流発生装置４を駆動し、ノズル５へ風を送り、手乾燥室２内に挿入した手に向けて高速風を当てることで手に付着した水分を除去し、乾燥させる。
【００３９】
上下方向に複数備えられたノズル５は、下部方向に備えられた下部のノズル５ｂを指先を乾燥することを目的とし、上部方向に備えられた上部のノズル５ａは手のひらから手首を乾燥させることを目的としており、指先から手のひらまでの一般的な長さを考慮して、最も下部に位置する下部のノズル５ｂから最も上部に位置する上部のノズル５ａまでの距離を少なくとも１０ｃｍ離すこととする。
【００４０】
ここで、ノズル５が上部と下部に各１個づつ備えた場合とすると、手乾燥室２に使用者が手を入れることで赤外線センサー３が手を検知し、マイコン６へ信号を送ることで高圧気流発生装置４が駆動し、上部のノズル５ａと下部のノズル５ｂから手に向けて送風する。上部のノズル５ａは主に手首や手のひらに風を送ることで手首や手のひらの乾燥を行い、上部のノズル５ａから少なくとも１０ｃｍ離れた箇所に位置する下部のノズル５ｂは主に指先の乾燥を行うことで、指先から手首の間の乾燥ムラを少なくすることができる。
【００４１】
また、図２に示すように、上部のノズル５ａを下側に向けて吹出すように備えることによって、手首や手のひらに付着した水分のうちノズルからの送風によって除去できなかったものに対しても、指先方向へ移動させることができる。これによって、手乾燥室２から徐々に抜き出して行くにつれて、除去できなかった水分を指先方向へ移動させることができる。指先部分は下部のノズル５ｂからの送風によって水分が除去されている状態となっているため、上部から移動してきた除去できなかった水分も指先に付着している水分が少ないために上部のノズル５ａからの送風で除去がしやすくなる。
【００４２】
また、図３に示すように、一般的に手の挿入角度は手前側のノズル５の方向に傾くことが想定されるため、手前側のノズル５の角度に対して奥側のノズル５の角度をより下側に傾けるようにする。例えば、手の挿入角度が大地に対して垂直方向に手前側に２０度傾くと想定する。この場合、元々ノズルを下側に２０度傾けていたとすると、手の挿入角度を加えて４０度指先側に向かって送風していることになるが、奥側のノズルに関しては、手の挿入角度を加えると、手の甲に対してほぼ垂直に送風してしまうことになってしまい、除去できなかった水分を下側に移動させることができなくなる。そのため、手前側のノズルの角度に対して奥側のノズルの角度を２０度多く傾けて設置することによって、手の挿入角度がある場合においても、除去できなかった水分を指先側に送ることができるようになる。これによって、手の甲側に付着した水分が上方に流れてしまうことを防ぐことができる。
【００４３】
なお本実施の形態では、ノズルの設置個数を上下に２箇所、手検出手段として赤外線センサーを用いたが、同様の採用効果が得られるものであればこれに限るものではない。
【００４４】
また、ノズルの角度を２０度とし、手の挿入角度を２０度としたが、同様の効果が得られるものであればこれに限るものではない。  
【００４５】
（実施の形態２）
次に、本発明の実施の形態２について図面を参照しながら説明する。なお、実施の形態１と同一のものは同一番号を付し、その詳細な説明を省略する。
【００４６】
すなわち、図４に示すように実施に形態１に対して、赤外線センサー３を上部のノズル５ａよりも下方に備える構成とする。
【００４７】
上記構成において、手乾燥室２に使用者が手を入れることで赤外線センサー３は手が手乾燥室２内に侵入されたことを検知し、マイコン６へ信号を送る。マイコン６は手が手乾燥室２内に侵入したことを確認後、高圧気流発生装置４を駆動し、ノズル５へ風を送り、手乾燥室２内に挿入した手に向けて高速風を当てることで手に付着した水分を除去し、乾燥させる。このとき、赤外線センサー３が手を検知したとき、既に手は上部のノズル５ａを通過しており、下部のノズル５ｂ付近まで到達しているため、送風を開始するときには下部のノズル５ｂに指先が到達しているため、下部のノズル５ｂからの送風で指先を乾燥させることができる。
【００４８】
また、手を手乾燥室２から徐々に抜き出していく場合においても、下部のノズル５ｂよりも上方に赤外線センサー３が位置するため、下部のノズル５ｂの乾燥領域から手がなくなった後も高圧気流発生装置４は駆動しており、上部のノズル５ａからの送風で乾燥を継続することができるため、乾燥不足であった箇所も上部のノズル５ａからの送風で最後まで乾燥することができる。
【００４９】
（実施の形態３）
次に、本発明の実施の形態３について図面を参照しながら説明する。なお、実施の形態１と同一のものは同一番号を付し、その詳細な説明を省略する。
【００５０】
図５に示すように、実施の形態１に対してさらに、高圧気流発生装置４ａおよび高圧気流発生装置４ｂを備えた構成とする。高圧気流発生装置４ａは下部のノズル５ｂに繋がる送気路に連通し、高圧気流発生装置４ｂは上部のノズル５ａに繋がる送気路に連通している。
【００５１】
上記構成において、手乾燥室２に使用者が手を入れることで赤外線センサー３は手が手乾燥室２内に侵入されたことを検知し、マイコン６へ信号を送る。マイコン６は手が手乾燥室２内に侵入したことを確認後、高圧気流発生装置４ａおよび４ｂを駆動し、上部のノズル５ａ、下部のノズル５ｂへ風を送り、手乾燥室２内に挿入した手に向けて高速風を当てることで手に付着した水分を除去し、乾燥させる。高圧気流発生装置４ａは下部のノズル５ｂに、高圧気流発生装置４ｂは上部のノズル５ａに、唯一送風しているため、高圧気流発生装置４とノズル５間の送気路の長さにノズル５からの送風速度が依存することがなく、全てのノズル５から同程度の風速で手乾燥をすることができる。
【００５２】
また、高圧気流発生装置４ａおよび４ｂが駆動して一定時間経過すると、高圧気流発生装置４ａの風量を下げるかもしくは停止する構成とする。一定時間とは乾燥を開始して指先の乾燥が終了するまでの時間であり、ここでは例として５秒とする。高圧気流発生装置４ａおよび４ｂが駆動すると、指先から手首までの領域を乾燥を行う。高圧気流発生装置４ａは駆動後５秒後には指先を充分に乾燥しているため、手は徐々に手乾燥室から抜かれて、下部のノズル５ｂからの送風領域から外れるており、高圧気流発生装置４ａを減速、もしくは停止して、高圧気流発生装置４ｂの送風のみで手の乾燥を行う。
【００５３】
また、赤外線センサー３を上部のノズル５ａよりも下方に備える構成において、赤外線センサー３が手を検知している間は高圧気流発生装置４ａおよび４ｂを駆動し、赤外線センサー３が手を検知しなくなったとき、手は徐々に手乾燥室から抜かれて、下部のノズル５ｂからの送風領域から外れるており、高圧気流発生装置４ａを減速、もしくは停止して、高圧気流発生装置４ｂの送風のみで手の乾燥を行う。高圧気流発生装置４ｂは赤外線センサー３が手を検知しなくなって３秒後に停止する。
【００５４】
なお本実施の形態では、高圧気流発生装置の設置個数を２個、高圧気流派生装置駆動後に指先が乾燥するまでの時間を５秒、赤外線センサーが手を検知しなくなって高圧気流発生装置を停止するまでの時間を３秒としたが、同様の採用効果が得られるものであればこれに限るものではない。
【００５５】
また、上記構成において、高圧気流発生装置４ａに対して高圧気流発生装置４ｂの風量を多くして上部のノズル５ａからの風量を下部のノズル５ｂより多くすることで、高圧気流発生装置４ａの出力を下げることができる。下部のノズル５ｂからの送風は指先の乾燥を主としており、指先の乾燥は手首や手のひらと比較すると乾燥には時間が少なくできる。そのため、手首や手のひらに送風する風量を指先に送風する風量に対して大きくすること省エネでかつ効率良く乾燥をすることができる。
【００５６】
（実施の形態４）
次に、本発明の実施の形態４について図面を参照しながら説明する。なお、実施の形態１と同一のものは同一番号を付し、その詳細な説明を省略する。
【００５７】
図６に示すように、実施の形態１に対してさらに、送気路に上部のノズル５ａと下部のノズル５ｂへの送風量を変えるために風量分配手段としてのダンパー７を備えた構成とする。
【００５８】
上記構成において、手乾燥室２に使用者が手を入れることで赤外線センサー３は手が手乾燥室２内に侵入されたことを検知し、マイコン６へ信号を送る。マイコン６は手が手乾燥室２内に侵入したことを確認後、高圧気流発生装置４を駆動し、ノズル５へ風を送り、手乾燥室２内に挿入した手に向けて高速風を当てることで手に付着した水分を除去し、乾燥させる。
【００５９】
下部のノズル５ｂからの送風は指先の乾燥を主としており、指先の乾燥は手首や手のひらと比較すると乾燥には時間が少なくできる。そのため、ダンパー７を調節して上部のノズル５ａと下部のノズル５ｂに送風する風量の割合を変えることで、手首や手のひらに送風する風量を指先に送風する風量に対して大きくして、省エネでかつ効率良く乾燥をすることができる。
【００６０】
また、高圧気流発生装置４駆動して一定時間経過すると、ダンパー７を調節して、下部のノズル５ｂからの風量を減少する、もしくは風量をゼロとする構成とする。一定時間とは乾燥を開始して指先の乾燥が終了するまでの時間であり、ここでは例として５秒とする。高圧気流発生装置４が駆動すると、指先から手首までの領域を乾燥を行う。高圧気流発生装置４が駆動後５秒後には指先を充分に乾燥しているため、手は徐々に手乾燥室から抜かれて、下部のノズル５ｂからの送風領域から外れるており、ダンパー７を調節して、下部のノズル５ｂからの風量を減少する、もしくは風量をゼロにして、上部のノズル５ａからの送風のみで手の乾燥を行う。
【００６１】
また、赤外線センサー３を上部のノズル５ａよりも下方に備える構成において、赤外線センサー３が手を検知している間は高圧気流発生装置４を駆動し、赤外線センサー３が手を検知しなくなったとき、手は徐々に手乾燥室から抜かれて、下部のノズル５ｂからの送風領域から外れるており、ダンパー７を調節して、下部のノズル５ｂからの風量を減少する、もしくは風量をゼロにして、上部のノズル５ａからの送風のみで手の乾燥を行う。高圧気流発生装置４は赤外線センサー３が手を検知しなくなって３秒後に停止する。
【００６２】
なお本実施の形態では、高圧気流派生装置駆動後に指先が乾燥するまでの時間を５秒、赤外線センサーが手を検知しなくなって高圧気流発生装置を停止するまでの時間を３秒としたが、同様の採用効果が得られるものであればこれに限るものではない。
【００６３】
（実施の形態５）
次に、本発明の実施の形態５について図面を参照しながら説明する。なお、実施の形態１と同一のものは同一番号を付し、その詳細な説明を省略する。
【００６４】
図７に示すように、実施の形態１に対してさらに、使用者への表示手段としてのＬＥＤ８を備えた構成とする。
【００６５】
上記構成において、下部のノズル５ｂからの送風を減速、または停止するときにＬＥＤ８を点灯、または点滅することで使用者に対して手を手乾燥室２から抜き出すことを促すことができ、更に故障と誤認識することを避けることができる。
【００６６】
例えば、高圧気流発生装置４駆動して一定時間経過すると、ダンパー７を調節して、下部のノズル５ｂからの風量を減少する、もしくは風量をゼロとする構成とする。一定時間とは乾燥を開始して指先の乾燥が終了するまでの時間であり、ここでは例として５秒とする。高圧気流発生装置４が駆動すると、指先から手首までの領域の乾燥を行う。高圧気流発生装置４が駆動後５秒後には指先を充分に乾燥しているため、手は徐々に手乾燥室から抜かれて、下部のノズル５ｂからの送風領域から外れるており、ダンパー７を調節して、下部のノズル５ｂからの風量を減少する、もしくは風量をゼロにして、上部のノズル５ａからの送風のみで手の乾燥を行う。このときに、ＬＥＤ８を点灯、または点滅することで使用者に指先部分の乾燥が終了したことを促し、徐々に手を手乾燥室２から抜くようにしてもらう。
【００６７】
なお本実施の形態では、高圧気流派生装置駆動後に指先が乾燥するまでの時間を５秒、赤外線センサーが手を検知しなくなって高圧気流発生装置を停止するまでの時間を３秒としたが、同様の採用効果が得られるものであればこれに限るものではない。
【００６８】
また、表示手段としてＬＥＤを用いたが、同様の採用効果が得られるものであればこれに限るものではない。
【産業上の利用可能性】
【００６９】
以上のように本発明の手乾燥装置は、高速風を用いて水滴を吹き飛ばして手や衣類などを乾燥させる乾燥装置、及び粉塵などを吹き飛ばすエアーブロー装置としての用途にも適用できる。
【符号の説明】
【００７０】
１      本体
２      手乾燥室
３      赤外線センサー
４      高圧気流発生装置
４ａ    高圧気流発生装置
４ｂ    高圧気流発生装置
５ａ    上部のノズル
５ｂ    下部のノズル
６      マイコン
７      ダンパー
８      ＬＥＤ
１０１  手乾燥室
１０２  高圧空気発生装置
１０３  ノズル
１０４  手乾燥装置
１０５  第１のノズル穴列
１０６  第２のノズル穴列
【図１】
2011087837.tif 000003
【図２】
2011087837.tif 000004
【図３】
2011087837.tif 000005
【図４】
2011087837.tif 000006
【図５】
2011087837.tif 000007
【図６】
2011087837.tif 000008
【図７】
2011087837.tif 000009
【図８】
2011087837.tif 000010
【図９】
2011087837.tif 000011